(57)【要約】  冷蔵庫は、庫室内の奥側に配置される冷気循環風路部品を備え、冷気循環風路部品は、庫室内の奥壁を構成するカバーと、カバーに一体化され、カバーよりも奥壁の奥側にて一部の冷気循環風路を形成するダクトと、を有し、カバーにおける上端部であってダクトの上方には、庫室に設けられた中仕切り板に当接する当接領域を拡大する１以上の補助当接部が設けられる。
2019102600.tif 000002
【特許請求の範囲】
【請求項１】
庫室内の奥側に配置される冷気循環風路部品を備え、
前記冷気循環風路部品は、前記庫室内の奥壁を構成するカバーと、前記カバーに一体化され、前記カバーよりも前記奥壁の奥側にて一部の冷気循環風路を形成するダクトと、を有し、
前記カバーにおける上端部であって前記ダクトの上方には、前記庫室に設けられた中仕切り板に当接する当接領域を拡大する１以上の補助当接部が設けられる冷蔵庫。
【請求項２】
前記カバーにおける前記上端部は、前記庫室内の奥壁を構成する前記カバーの本体部から先端を前記庫室の正面側に曲げ、
前記補助当接部は、前記上端部の上面に設けられる請求項１に記載の冷蔵庫。
【請求項３】
前記冷気循環風路部品は、前記カバーの前記上端部の先端を回動支点とし、上側から前記庫室内の奥側に嵌め込まれる請求項１又は２に記載の冷蔵庫。
【請求項４】
前記カバーにおける下端部は、前記庫室内の奥側に嵌め込まれた後に固定部材を用いて固定される請求項１〜３のいずれか１項に記載の冷蔵庫。
【請求項５】
前記ダクトは、前記庫室内の奥側に嵌め込まれるときに、前記庫室内よりも奥側に鉤状に左右に１対設けられた保持部材を用いて被保持部を抱え込まれる請求項１〜４のいずれか１項に記載の冷蔵庫。
【請求項６】
前記補助当接部は、前記カバーにおける上端部であって前記ダクトの上方以外の位置にも設けられる請求項１〜５のいずれか１項に記載の冷蔵庫。
【請求項７】
前記補助当接部材は、前記カバーと同じ厚みの１以上のリブである請求項１〜６のいずれか１項に記載の冷蔵庫。
【請求項８】
前記リブは、前記カバーにおける上端部であって前記ダクトの上方にて、左右及び中央に３つ配置される請求項７に記載の冷蔵庫。
【請求項９】
前記リブは、前記庫室内の奥側の角部を面取りされる請求項７又は８に記載の冷蔵庫。
【請求項１０】
前記リブにおける前記庫室内の奥側端縁は、前記カバーにおける前記庫室内の奥壁を構成する本体部の奥面と面一に形成される請求項７〜９のいずれか１項に記載の冷蔵庫。
【請求項１１】
前記補助当接部は、前記カバーと同じ厚みで前記上端部から上方に延びて形成された１以上の壁面部である請求項１〜６のいずれか１項に記載の冷蔵庫。
【請求項１２】
前記補助当接部は、前記壁面部から前記庫室内の奥側に配置される１以上のリブを有する請求項１１に記載の冷蔵庫。
【発明の詳細な説明】
【技術分野】
【０００１】
本発明は、庫室内の奥側に配置される冷気循環風路部品を備える冷蔵庫に関する。
【背景技術】
【０００２】
従来、特許文献１に記載のように、冷蔵庫の野菜室の奥面に設けられる冷気循環風路部品を備える構成が知られている。冷気循環風路部品は、一部の冷気循環風路を形成するダクトと、ダクトに取り付けられるカバーと、を有する。
【先行技術文献】
【特許文献】
【０００３】
【特許文献１】特開２００８−７５８８８号公報
【発明の概要】
【発明が解決しようとする課題】
【０００４】
ここで、カバーは、樹脂製であり、リブが形成されている場合がある。そして、冷気循環風路部品は、野菜室の奥側の壁面に突き当てて取り付けられる。ここで、リブが冷蔵室と野菜室とを区分けする中仕切り板に当接する。これにより、カバーが固定され、ダクトの一部の冷気循環風路が他部品の一部の冷気循環風路と正しく繋がるように位置し、冷気循環風路が冷蔵庫の冷気を循環させる機能を発揮する。【０００５】
しかし、樹脂製のカバーが変形してたわみ、ダクトが野菜室の正面側に傾き、ダクトの一部の冷気循環風路がずれて他部品の一部の冷気循環風路と繋がらなくなり、冷気循環風路として機能しなくなる課題があった。【０００６】
本発明は、上記課題を解決するためのものであり、カバーが中仕切り板に確実に当接し、ダクトが確実に正しく位置できる冷蔵庫を提供することを目的とする。
【課題を解決するための手段】
【０００７】
本発明に係る冷蔵庫は、庫室内の奥側に配置される冷気循環風路部品を備え、前記冷気循環風路部品は、前記庫室内の奥壁を構成するカバーと、前記カバーに一体化され、前記カバーよりも前記奥壁の奥側にて一部の冷気循環風路を形成するダクトと、を有し、前記カバーにおける上端部であって前記ダクトの上方には、前記庫室に設けられた中仕切り板に当接する当接領域を拡大する１以上の補助当接部が設けられるものである。
【発明の効果】
【０００８】
本発明に係る冷蔵庫によれば、カバーにおける上端部であってダクトの上方には、庫室に設けられた中仕切り板に当接する当接領域を拡大する１以上の補助当接部が設けられる。それにより、補助当接部がダクトの上方にて中仕切り板に当接する当接領域を拡大する。したがって、カバーが中仕切り板に確実に当接し、ダクトが確実に正しく位置できる。
【図面の簡単な説明】
【０００９】
【図１】本発明の実施の形態１に係る冷蔵庫を示す斜視図である。
【図２】本発明の実施の形態１に係る冷蔵庫を示す縦断面図である。
【図３】本発明の実施の形態１に係る冷気循環風路部品を正面側から見て示す斜視図である。
【図４】本発明の実施の形態１に係る冷気循環風路部品を奥側から見て示す斜視図である。
【図５】本発明の実施の形態１に係る冷気循環風路部品を示す縦断面図である。
【図６】本発明の実施の形態１に係る冷気循環風路部品のリブを示す縦断面図である。
【図７】本発明の実施の形態１に係る冷気循環風路部品のリブを示す斜視図である。
【図８】本発明の実施の形態１に係る冷気循環風路部品のリブを示す拡大図である。
【図９】本発明の実施の形態１に係る冷気循環風路部品の下端部を示す拡大図である。
【図１０】本発明の実施の形態２に係る冷気循環風路部品の補助当接部を示す斜視図である。
【図１１】本発明の実施の形態３に係る冷気循環風路部品の補助当接部を示す斜視図である。
【発明を実施するための形態】
【００１０】
以下、図面に基づいて本発明の実施の形態について説明する。なお、各図において、同一の符号を付したものは、同一の又はこれに相当するものであり、これは明細書の全文において共通している。さらに、明細書全文に示す構成要素の形態は、あくまで例示であってこれらの記載に限定されるものではない。
【００１１】
実施の形態１．
＜冷蔵庫の構成＞
図１は、本発明の実施の形態１に係る冷蔵庫１を示す斜視図である。図２は、本発明の実施の形態１に係る冷蔵庫１を示す縦断面図である。
【００１２】
図１、２に示すように、冷蔵庫１は、外部を覆う外箱２と、外箱２の内側に配置されている内箱３と、を備える。外箱２と内箱３との間には、発泡ポリウレタンなどの断熱材を用いて形成されている断熱壁が設けられている。
【００１３】
冷蔵庫１は、上部に冷蔵室４を有する。冷蔵庫１は、冷蔵室４の下方の中間部に野菜室５を有する。冷蔵庫１は、野菜室５の下方の下部に冷凍室６を有する。これらの庫室は、断熱壁によって区画されて形成されている。
【００１４】
冷蔵庫１には、これらの庫室の奥側に最下部の冷却器７からの冷気をこれらの庫室それぞれに流通させる冷気循環風路８が形成されている。冷蔵庫１の冷気循環風路８は、複数のダクトを繋げて形成されている。
【００１５】
＜野菜室５の構成＞
冷蔵庫１の野菜室５は、上方を冷蔵室４と断熱壁９で仕切られ、奥側かつ上部に後述する図６に示される中仕切り板１０が室内に下方に突出して設けられている。野菜室５は、室内の奥側に配置される冷気循環風路部品１１を備える。冷気循環風路部品１１は、四角形状のカバー１２を有する。カバー１２には、一部の冷気循環風路８を形成するダクト１３が取り付けられている。冷気循環風路部品１１におけるカバー１２の上端部１２ｂは、野菜室５に設けられた中仕切り板１０に当接している。これにより、野菜室５は、カバー１２によって奥側を塞ぎ、冷気循環風路部品１１を用いて奥壁を構成している。
【００１６】
野菜室５は、正面側の開口を塞ぐ図示しない引き出し扉と、引き出し扉に取り付けられた上方が開口した箱状の図示しない容器と、を有する。野菜室５は、左右両側に設けられたレール１４に容器を案内させ、容器を引き出し可能に収納している。
【００１７】
＜冷気循環風路部品１１の構成＞
図３は、本発明の実施の形態１に係る冷気循環風路部品１１を正面側から見て示す斜視図である。図４は、本発明の実施の形態１に係る冷気循環風路部品１１を奥側から見て示す斜視図である。図５は、本発明の実施の形態１に係る冷気循環風路部品１１を示す縦断面図である。
【００１８】
冷気循環風路部品１１は、野菜室５内の奥壁を構成するカバー１２を有する。冷気循環風路部品１１は、カバー１２に一体化され、カバー１２よりも奥壁の奥側にて一部の冷気循環風路８を形成するダクト１３を有する。カバー１２におけるダクト１３の形成されていない領域には、冷気を野菜室５に供給する吹出し口１５が形成されている。
【００１９】
カバー１２は、本体部１２ａと、上端部１２ｂと、後述する図６に示す３つのリブ１２ｃと、リブ１２ｃとは別の４つのリブ１２ｄと、を有する。カバー１２における本体部１２ａは、野菜室５内の奥壁を構成している。カバー１２における上端部１２ｂは、後述する図６に拡大されるように、野菜室５内の奥壁を構成するカバー１２の本体部１２ａから先端を野菜室５の正面側に曲げている。先端を野菜室５の正面側に曲げた上端部１２ｂは、中仕切り板１０に当接する当接部材としての機能を発揮する。カバー１２における下端部１２ｅは、たとえば、螺子あるいはリベットなどの固定部材１６を用いて冷蔵庫１の本体に固定されている。
【００２０】
ダクト１３は、発泡材製で上下端部に開口する四角柱状の中空部材である。ダクト１３は、カバー１２の左右方向中央部に固定されている。ダクト１３は、野菜室５内よりも奥側に鉤状に左右に１対設けられた保持部材を用いて被保持部１３ａを抱え込まれ、保持されている。これにより、ダクト１３が他の部品と冷気循環風路８を隙間なく繋げている。
【００２１】
＜リブ１２ｃの構成＞
図６は、本発明の実施の形態１に係る冷気循環風路部品１１のリブ１２ｃを示す縦断面図である。図７は、本発明の実施の形態１に係る冷気循環風路部品１１のリブ１２ｃを示す斜視図である。図８は、本発明の実施の形態１に係る冷気循環風路部品１１のリブ１２ｃを示す拡大図である。
【００２２】
３つのリブ１２ｃは、カバー１２における上端部１２ｂであってダクト１３の上方に、野菜室５に設けられた中仕切り板１０に当接する当接領域を拡大する補助当接部として機能する。なお、リブ１２ｃの数は、１以上であればよく、限定されない。３つのリブ１２ｃは、カバー１２における上端部１２ｂであってダクト１３の上方にて、左右及び中央にそれぞれ配置されている。
【００２３】
図７に示すように、リブ１２ｃは、カバー１２と同じ厚みである。これにより、樹脂製のカバー１２とともにムラなく成形し易い。図８に示すように、リブ１２ｃは、上端部１２ｂの上面に板面を立てて設けられている。リブ１２ｃの正面側の当接部分と中仕切り板１０との間には、小さな間隙Ｓが形成されている。
【００２４】
図８に示すように、リブ１２ｃは、野菜室内の奥側の角部を面取りされ、角部をＲ形状１２ｃ１に形成されている。これにより、カバー１２の回動時に他の部品に引っ掛かることを防止している。
【００２５】
図８に示すように、リブ１２ｃにおける野菜室５内の奥側端縁は、カバー１２における野菜室５内の奥壁を構成する本体部１２ａの奥面と面一に形成されている。これにより、カバー１２の回動時に他の部品に引っ掛かることを防止しつつ、正面側から奥側への幅を最大限広げて強度を高めている。
【００２６】
なお、補助当接部として機能するリブ１２ｄは、カバー１２における上端部１２ｂであってダクト１３の上方以外の位置にも設けられている。これらのリブ１２ｄは、ダクト１３の左右両側にそれぞれ２つずつ間隔を空けて配置されている。
【００２７】
＜冷気循環風路部品１１の設置方法＞
冷気循環風路部品１１は、カバー１２の上端部１２ｂの先端を中仕切り板１０に当接させ、上端部１２ｂの先端を回動支点とし、上側から野菜室５内の奥側の開口空間に嵌め込まれる。
【００２８】
図９は、本発明の実施の形態１に係る冷気循環風路部品１１の下端部１２ｅを示す拡大図である。図９に示すように、カバー１２における下端部１２ｅは、野菜室５内の奥側に嵌め込まれた後に固定部材１６を用いて固定される。
【００２９】
ここで、ダクト１３は、冷気循環風路部品１１を野菜室５内の奥側に嵌め込まれるときに、野菜室５内よりも奥側に奥方向に向かって鉤状に左右に１対設けられた保持部材を用いて被保持部１３ａを抱え込まれ、保持され、固定される。これにより、ダクト１３は、他の部品と冷気循環風路８を繋げる。
【００３０】
＜冷気循環風路部品１１の作用＞
冷気循環風路部品１１を冷蔵庫１の野菜室５に取り付けたときに、ダクト１３は、野菜室５よりも奥側の保持部材に被保持部１３ａを抱えて保持されて位置が決まる。カバー１２の上端部１２ｂは、リブ１２ｃ、１２ｄが中仕切り板１０に押さえられて固定される。ここで、樹脂製のカバー１２がたわんで変形した場合であっても、野菜室５の奥方向に対してダクト１３の位置が固定されているため変形しない。一方、たわんだカバー１２は、自由空間となる野菜室５の正面側へ変形する可能性がある。しかし、ダクト１３の上方に設けたリブ１２ｃが中仕切り板１０に当接領域を拡大して当接している。このため、ダクト１３は、野菜室５の正面側に傾くことを防止される。
【００３１】
このように、リブ１２ｃ、１２ｄが中仕切り板１０に当接して押さえられることにより、カバー１２が固定され、ダクト１３の有する一部の冷気循環風路８が正しい位置に収まる。つまり、カバー１２が変形してたわもうとしても、野菜室５の正面側に傾かない。特に、ダクト１３の上方にリブ１２ｃが３つ配置されているので、３つのリブ１２ｃが中仕切り板１０に当接してカバー１２が固定され、ダクト１３の有する一部の冷気循環風路８がより精密に正しい位置に収まり続ける。このため、ダクト１３の有する一部の冷気循環風路８と、他の部品の有する一部の冷気循環風路８と、が、ずれ、冷気漏れを発生することが防止できる。
【００３２】
＜実施の形態１の効果＞
実施の形態１によれば、冷蔵庫１は、庫室としての野菜室５内の奥側に配置される冷気循環風路部品１１を備える。冷気循環風路部品１１は、野菜室５内の奥壁を構成するカバー１２を有する。冷気循環風路部品１１は、カバー１２に一体化され、カバー１２よりも奥壁の奥側にて一部の冷気循環風路８を形成するダクト１３を有する。カバー１２における上端部１２ｂであってダクト１３の上方には、野菜室５に設けられた中仕切り板１０に当接する当接領域を拡大する３つの補助当接部としてのリブ１２ｃが設けられる。
【００３３】
この構成によれば、補助当接部としてのリブ１２ｃがダクト１３の上方にて中仕切り板１０に当接する当接領域を拡大する。したがって、カバー１２が中仕切り板１０に確実に当接し、ダクト１３が確実に正しく位置できる。そのため、カバー１２が変形してたわんでも、リブ１２ｃがダクト１３の上方にて中仕切り板１０に当接し続け、ダクト１３が野菜室５の正面側に傾かない。よって、ダクト１３の一部の冷気循環風路８が他部品の一部の冷気循環風路８と正しく繋がり、冷気循環風路８として機能が発揮し続けられる。
【００３４】
実施の形態１によれば、カバー１２における上端部１２ｂは、野菜室５内の奥壁を構成するカバー１２の本体部１２ａから先端を野菜室５の正面側に曲げている。リブ１２ｃは、上端部１２ｂの上面に設けられる。
【００３５】
この構成によれば、カバー１２の上端部１２ｂの先端が中仕切り板１０に当接するとともに、補助当接部としてのリブ１２ｃが上端部１２ｂの上面にて中仕切り板１０に当接する当接領域を拡大する。
【００３６】
実施の形態１によれば、冷気循環風路部品１１は、上端部１２ｂの先端を回動支点とし、上側から野菜室５内の奥側に嵌め込まれる。
【００３７】
この構成によれば、冷気循環風路部品１１は、カバー１２の上端部１２ｂの先端を回動支点とし、上側から野菜室５内の奥側に嵌め込まれる。そして、冷気循環風路部品１１は、野菜室５内の奥側に配置され、野菜室５の奥壁を構成する。
【００３８】
実施の形態１によれば、カバー１２における下端部１２ｅは、野菜室５内の奥側に嵌め込まれた後に固定部材１６を用いて固定される。
【００３９】
この構成によれば、冷気循環風路部品１１が野菜室５内の奥側に嵌め込まれた後に、カバー１２の下端部１２ｅが固定部材１６を用いて固定される。そのため、固定部材１６を用いての冷気循環風路部品１１の固定箇所が少なくて済み、製造が容易である。
【００４０】
実施の形態１によれば、ダクト１３は、野菜室５内の奥側に嵌め込まれるときに、野菜室５内よりも奥側に鉤状に左右に１対設けられた保持部材を用いて被保持部１３ａを抱え込まれる。
【００４１】
この構成によれば、ダクト１３が野菜室５内の奥側に嵌め込まれるときに、ダクト１３が野菜室５内の奥側に鉤状に左右に１対設けられた保持部材を用いて被保持部１３ａを抱え込まれ、保持される。そのため、ダクト１３の位置がずれ難く、ダクト１３の一部の冷気循環風路８が他部品の一部の冷気循環風路８と正しく繋がり、冷気循環風路８として機能が発揮し続けられる。
【００４２】
実施の形態１によれば、補助当接部としてのリブ１２ｄは、カバー１２における上端部１２ｂであってダクト１３の上方以外の位置にも設けられる。
【００４３】
この構成によれば、カバー１２が中仕切り板１０により確実に当接し、ダクト１３がより確実に正しく位置できる。そのため、カバー１２が変形してたわんでも、補助当接部としてのリブ１２ｃ、１２ｄがカバー１２の上端部１２ｂにて中仕切り板１０に当接し続け、ダクト１３が野菜室５の正面側に傾かない。
【００４４】
実施の形態１によれば、補助当接部材は、カバー１２と同じ厚みの１以上のリブ１２ｃ、１２ｄである。
【００４５】
この構成によれば、リブ１２ｃ、１２ｄは、単純な形状であり、取り扱い易い。また、リブ１２ｃ、１２ｄは、小さいため、成形が容易であるとともに、材料費が安く済む。
【００４６】
実施の形態１によれば、リブ１２ｃは、カバー１２における上端部１２ｂであってダクト１３の上方にて、左右及び中央に３つ配置される。
【００４７】
この構成によれば、カバー１２が中仕切り板１０により確実に当接し、ダクト１３がより確実に正しく位置できる。そのため、カバー１２が変形してたわんでも、３つのリブ１２ｃがダクト１３の上方にて中仕切り板１０に集中して当接し続け、ダクト１３が野菜室５の正面側に傾かない。
【００４８】
実施の形態１によれば、リブ１２ｃ、１２ｄは、野菜室５内の奥側の角部を面取りされる。
【００４９】
この構成によれば、冷気循環風路部品１１は、カバー１２の上端部１２ｂの先端を回動支点とし、上側から野菜室５内の奥側に嵌め込まれる。このとき、カバー１２の上端部１２ｂに設けられたリブ１２ｃにおける野菜室５内の奥側の角部が面取りされ、リブ１２ｃ、１２ｄが冷気循環風路部品１１の回動の障害にならない。
【００５０】
実施の形態１によれば、リブ１２ｃ、１２ｄにおける野菜室５内の奥側端縁は、カバー１２における野菜室５内の奥壁を構成する本体部１２ａの奥面と面一に形成される。
【００５１】
この構成によれば、リブ１２ｃ、１２ｄは、カバー１２の上端部１２ｂに設けられて突出する。このとき、リブ１２ｃ、１２ｄにおける野菜室５内の奥側端縁は、カバー１２における野菜室５内の奥壁を構成する本体部１２ａの奥面と面一に形成される。これにより、ダクト１３の一部の冷気循環風路８が他部品の一部の冷気循環風路８と繋がるときに、リブ１２ｃ、１２ｄが他の一部の冷気循環風路８を形成する他部品とぶつからず、リブ１２ｃ、１２ｄが邪魔にならない。また、リブ１２ｃ、１２ｄにおける野菜室５内の奥側端縁が奥側に最大限延ばせるので、リブ１２ｃ、１２ｄが最大限大きな形状に形成でき、リブ１２ｃ、１２ｄの強度が向上できる。
【００５２】
実施の形態２．
実施の形態２では、上記実施の形態と同構成の説明を省略し、その特徴部分だけを説明する。実施の形態２では、補助当接部として機能する部材を壁面部とした構成を説明する。
【００５３】
図１０は、本発明の実施の形態２に係る冷気循環風路部品１１の補助当接部を示す斜視図である。図１０に示すように、壁面部１２ｆは、カバー１２と同じ厚みで上端部１２ｂから上方に延びて上端部１２ｂに連続して形成されている。壁面部１２ｆは、同じ高さで連続している。壁面部１２ｆも、実施の形態１のリブ１２ｃと同様な補助当接部としての機能を発揮する。なお、壁面部１２ｆは、間隔を空けて複数設けられてもよい。
【００５４】
＜実施の形態２の効果＞
実施の形態２によれば、補助当接部は、カバー１２と同じ厚みで上端部１２ｂから上方に延びて形成された１以上の壁面部１２ｆである。
【００５５】
この構成によれば、壁面部１２ｆが補助当接部として広く形成でき、カバー１２が中仕切り板１０に確実に当接し、ダクト１３が確実に正しく位置できる。
【００５６】
実施の形態３．
実施の形態３では、上記実施の形態と同構成の説明を省略し、その特徴部分だけを説明する。
【００５７】
図１１は、本発明の実施の形態３に係る冷気循環風路部品１１の補助当接部を示す斜視図である。図１１に示すように、補助当接部は、壁面部１２ｆである。また、補助当接部は、壁面部１２ｆから野菜室５内の奥側に配置される１以上のリブ１２ｇを有する。１以上のリブ１２ｇは、壁面部１２ｆを支持補強している。
【００５８】
＜実施の形態３の効果＞
実施の形態３によれば、補助当接部は、壁面部１２ｆから野菜室５内の奥側に配置される１以上のリブ１２ｇを有する。
【００５９】
この構成によれば、壁面部１２ｆがリブ１２ｇで野菜室５内の奥側から支持され、壁面部１２ｆの強度が向上できる。
【符号の説明】
【００６０】
１  冷蔵庫、２  外箱、３  内箱、４  冷蔵室、５  野菜室、６  冷凍室、７  冷却器、８  冷気循環風路、９  断熱壁、１０  中仕切り板、１１  冷気循環風路部品、１２  カバー、１２ａ  本体部、１２ｂ  上端部、１２ｃ  リブ、１２ｃ１  Ｒ形状、１２ｄ  リブ、１２ｅ  下端部、１２ｆ  壁面部、１２ｇ  リブ、１３  ダクト、１３ａ  被保持部、１４  レール、１５  吹出し口、１６  固定部材。
【図１】
2019102600.tif 000003
【図２】
2019102600.tif 000004
【図３】
2019102600.tif 000005
【図４】
2019102600.tif 000006
【図５】
2019102600.tif 000007
【図６】
2019102600.tif 000008
【図７】
2019102600.tif 000009
【図８】
2019102600.tif 000010
【図９】
2019102600.tif 000011
【図１０】
2019102600.tif 000012
【図１１】
2019102600.tif 000013
【国際調査報告】
2019102600.tif 000014
2019102600.tif 000015
2019102600.tif 000016